(57)【要約】【課題】カードの不正読み取りに対するセキュリティ性を高めることが可能なカードリーダを提供する。【解決手段】カードをカードリーダ１のゲート口１０ａより挿入し、カードリーダ内部に設けたカード搬送機構によりカードリーダ内部に取り込むように構成してなるカードリーダ１において、ゲート口１０ａを構成するため少なくともカードリーダの一面側に、光を透過する材料にてカードをカード搬送路に誘導する拡開部１１を備えたゲートフレーム１０と、ゲートフレーム１０に光を照射する光源部と、を有し、光源部は、複数の発光素子（ＬＥＤ２１）と、この発光素子の断線を検知する断線検知手段（断線検知回路３０）と、光源部を覆うゲートフレーム１０が取り外されたことを検知する取外し検知手段（取外し検知回路４０）と、を備える。【選択図】図３
2010020427.tif 000002
【特許請求の範囲】
【請求項１】
カードをカードリーダのゲート口より挿入し、カードリーダ内部に設けたカード搬送機構によりカードリーダ内部に取り込むように構成してなるカードリーダにおいて、
前記ゲート口を構成するため少なくとも前記カードの一面側に、光を透過する材料にて前記カードをカード搬送路に誘導する拡開部を備えたゲートフレームと、当該ゲートフレームに光を照射する光源部と、を有し、
前記光源部は、複数の発光素子と、前記光源部を覆う前記ゲートフレームが取り外されたことを検知する取外し検知手段と、を備えることを特徴とするカードリーダ。
【請求項２】
カードをカードリーダのゲート口より挿入し、カードリーダ内部に設けたカード搬送機構によりカードリーダ内部に取り込むように構成してなるカードリーダにおいて、前記ゲート口を構成するため少なくとも前記カードの一面側に、光を透過する材料にて前記カードをカード搬送路に誘導する拡開部を備えたゲートフレームと、当該ゲートフレームに光を照射する光源部と、を有し、
前記光源部は、複数の発光素子と、当該発光素子の断線を検知する断線検知手段を備えるとともに、
前記断線検知手段は、前記発光素子の電位レベルと基準電圧とを比較することによって、前記発光素子の断線を検知することを特徴とするカードリーダ。
【請求項３】
前記光源部は、前記発光素子の電位レベルと基準電圧とを比較することによって、前記発光素子の断線を検知する断線検知手段と、を備えることを特徴とする請求項１記載のカードリーダ。
【請求項４】
前記断線検知手段は、コンパレータを含み、
前記コンパレータには、逆流防止用のダイオードを介して、前記発光素子の電位レベルが複数入力されることを特徴とする請求項２又は３記載のカードリーダ。
【発明の詳細な説明】
【技術分野】
【０００１】
本発明は、カードの不正読み取りを防止するセキュリティ機能を有するカードリーダに関する。
【背景技術】
【０００２】
一般に、例えば銀行に設置されているＡＴＭなどには、磁気カードに対する磁気データの読み出し及び書込みを行う磁気カードリーダが取り付けられている。そして、磁気カードリーダには、磁気カードを挿入・排出するためのゲートフレームと、ゲートフレームから磁気カードが挿入されたことを検出するための検出器と、ゲートフレームから挿入された磁気カードを磁気カードリーダ内部に導くカード搬送路と、そのカード搬送路を開閉するシャッタなどが配置されている。
【０００３】
利用者は、まず、磁気カードの先端をゲートフレームに挿入する。そうすると、検出器によって磁気カードの挿入が検出され、カード搬送路を閉じているシャッタが開くと同時に、カード搬送路に設けられたローラによって、磁気カードは磁気カードリーダ内部に導入される。このようにして、磁気カードの取込動作が行われる。
【０００４】
ところで、近年、磁気カードに記録された情報を不正に読み取る不正読取装置
の存在が懸念されている。この不正読取装置は、一般に、磁気カードリーダのゲートフレーム前方（ゲート口近辺）に取り付けられるとともに、磁気カードに記録された情報を不正に読み取るための磁気ヘッドを備えている。不正読取装置が取り付けられた磁気カードリーダ（の擬似ゲート口）に磁気カードが挿入されると、この磁気ヘッドによって、磁気カードに記録された情報が利用者の知らない間に不正に読み取られてしまう。
【０００５】
そこで、例えばゲートフレームをＬＥＤ等で光らせることによって、不正読取装置の取り付けを抑制することができる。仮に、ゲートフレーム前方に不正読取装置が取り付けられていた場合には、利用者は、磁気カードの先端をゲートフレームに挿入する際、光るはずのゲートフレームの一部が光っていないことに対して違和感を覚え、不正読取装置の存在を認識することができる。
【０００６】
このような構成からなるカードリーダでは、ゲートフレームを光らせるＬＥＤ等がセキュリティを高める上で重要な役割を果たすため、ＬＥＤ等の断線故障を検知する断線検知回路が設けられている（例えば特許文献１参照）。特許文献１に開示された断線検知回路は、ＬＥＤの電位レベル変化の有無を検知することによって、ＬＥＤの断線を検知するようにしている。これにより、ゲートフレームが不正に取り外され、複数のＬＥＤの一部又は全部が破壊された後（ＬＥＤが断線した後）、ゲートフレームが元に戻され、不正読取装置が取り付けられる、といった不正行為があったとしても、ＬＥＤの断線検知によって上位装置に警告信号を送信する等して、磁気カードの不正読取防止策を講じることができる。
【０００７】
【特許文献１】特開２００７−２５６１７４号公報
【発明の開示】
【発明が解決しようとする課題】
【０００８】
しかしながら、上述したカードリーダでは、例えばゲートフレームが不正に取り外され、ＬＥＤ基板が剥き出しにされた後、ＬＥＤの破壊（断線）を伴わない細工が行われた場合には、その不正行為を認識することができない。また、ＬＥＤの断線検知回路そのものを破壊された場合にも、その不正行為を認識することができない。
【０００９】
本発明は、以上の点に鑑みてなされたものであり、その目的は、カードの不正読み取りに対するセキュリティ性を高めることが可能なカードリーダを提供することにある。
【課題を解決するための手段】
【００１０】
以上のような課題を解決するために、本発明は、以下のものを提供する。
【００１１】
（１）  カードをカードリーダのゲート口より挿入し、カードリーダ内部に設けたカード搬送機構によりカードリーダ内部に取り込むように構成してなるカードリーダにおいて、前記ゲート口を構成するため少なくとも前記カード（又はカードリーダ）の一面側に、光を透過する材料にて前記カードをカード搬送路に誘導する拡開部を備えたゲートフレームと、当該ゲートフレームに光を照射する光源部と、を有し、前記光源部は、複数の発光素子と、前記光源部を覆う前記ゲートフレームが取り外されたことを検知する取外し検知手段と、を備えることを特徴とするカードリーダ。
【００１２】
本発明によれば、カードリーダに、光を透過する材料にてカードをカード搬送路に誘導する拡開部を備えたゲートフレームと、そのゲートフレームに光を照射する光源部と、を設け、この光源部には、複数の発光素子と、光源部を覆うゲートフレームが取り外されたことを検知する取外し検知手段と、が設けられることとしたので、ゲートフレームが不正に取り外された時点で、取外し検知手段により不正行為を検知することができる。
【００１３】
したがって、ＬＥＤの破壊を伴わない細工が行われたり、例えばＬＥＤの断線検知回路そのものが破壊されたりした場合であっても、これらが行われる前、すなわちゲートフレームが不正に取り外された時点で不正行為を検知することができるので、各種対策（例えば上位装置に警告信号を送信する等）を講じることができ、ひいてはセキュリティ性を高めることができる。
【００１４】
ここで、「光を透過する材料」の透過率については、少なくとも一部の光が透過するものであれば足り、透過率１００％でなくてもよい（透明樹脂はもちろん、擦りガラスのような材料も含まれる）。また、「取外し検知手段」は、ゲートフレームが取り外されたことを検知し得るものであれば如何なるものであってもよく、マイクロスイッチやフォトリフレクタ等が挙げられる。
【００１５】
（２）  カードをカードリーダのゲート口より挿入し、カードリーダ内部に設けたカード搬送機構によりカードリーダ内部に取り込むように構成してなるカードリーダにおいて、前記ゲート口を構成するため少なくとも前記カードの一面側に、光を透過する材料にて前記カードをカード搬送路に誘導する拡開部を備えたゲートフレームと、当該ゲートフレームに光を照射する光源部と、を有し、前記光源部は、複数の発光素子と、当該発光素子の断線を検知する断線検知手段と、を備えるとともに、前記断線検知手段は、前記発光素子の電位レベルと基準電圧とを比較することによって、前記発光素子の断線を検知することを特徴とするカードリーダ。
【００１６】
本発明によれば、カードリーダに、光を透過する材料にてカードをカード搬送路に誘導する拡開部を備えたゲートフレームと、そのゲートフレームに光を照射する光源部と、を設け、この光源部には、複数の発光素子と、発光素子の断線を検知する断線検知手段と、を設けている。そして、この断線検知手段は、発光素子の電位レベルと基準電圧とを比較することによって、発光素子の断線を検知することとしたので、複雑な回路や調整を必要とせず、セキュリティ性を高めることができる。
【００１７】
（３）  前記光源部は、前記発光素子の電位レベルと基準電圧とを比較することによって、前記発光素子の断線を検知する断線検知手段と、を備えることを特徴とするカードリーダ。
本発明によれば、上述した光源部に、発光素子の電位レベルと基準電圧とを比較することによって、上述した発光素子の断線を検知する断線検知手段が設けられているので、セキュリティ性を高めながら、ゲートフレームが不正に取り外された時点で不正行為を検知することができる。
（４）  前記断線検知手段は、コンパレータを含み、前記コンパレータには、逆流防止用のダイオードを介して、前記発光素子の電位レベルが複数入力されることを特徴とするカードリーダ。
【００１８】
本発明によれば、上述した断線検知手段は、コンパレータを含み、そのコンパレータには、逆流防止用のダイオードを介して、発光素子の電位レベルが複数入力されることとしたので、一部の発光素子断線による電位レベル変化から他方（他の発光素子）への逆流電流が懸念される場合であっても、これを防止することができる。
【発明の効果】
【００１９】
本発明に係るカードリーダによれば、発光素子の断線を検知する断線検知手段と、ゲートフレームが取り外されたことを検知する取外し検知手段とを備えているので、発光素子の破壊を伴わない細工が行われた場合や、発光素子の断線検知回路そのものを破壊された場合であっても、ゲートフレームが取り外された時点で、それらの不正行為を認識することができ、ひいてはカードの不正読み取りに対するセキュリティ性を高めることができる。
【発明を実施するための最良の形態】
【００２０】
以下、本発明を実施するための最良の形態について、図面を参照しながら説明する。
【００２１】
［機械構成］
図１は、本発明の実施の形態に係るカードリーダ１の機械構成を示す斜視図である。図１（ａ）は、カードリーダ１にゲートフレーム１０を取り付けたときの様子を示し、図１（ｂ）は、カードリーダ１からゲートフレーム１０を取り外したときの様子を示す。
【００２２】
図１（ａ）及び図１（ｂ）において、カードリーダ１には、磁気カードが挿入又は排出されるゲート口１０ａが形成されている。そして、このゲート口１０ａを構成するため少なくともカードの一面側に、光を透過する材料にてカードをカード搬送路に誘導する拡開部１１を備えたゲートフレーム１０が設けられている。
【００２３】
カードリーダ１の内部には、磁気カードに対して情報の書込み又は読み取りをする磁気ヘッドが設けられている（図示せず）。磁気ヘッドは、磁気カード上の磁気ストライプに接触・摺動することによって、情報の書込み又は読み取りを行う。
【００２４】
ゲート口１０ａに磁気カードが挿入されると、磁気カードの幅方向の長さを検出する幅検知スイッチ１３がＯＮになる。そうすると、シャッタソレノイド１２の動作によって、搬送路を閉じているシャッタ（図示せず）が開くとともに、シャッタ開閉スイッチ１４がＯＮされ、搬送路に設けられた取り込みローラ（図示せず）の回転動作が開始されて、磁気カードがカードリーダ１内部に取り込まれる。カードリーダ１では、このようにして磁気カードの取込動作を実現している。
【００２５】
なお、図示しない取り込みローラや搬送モータ等は、カードリーダ１に設けられた「カード搬送機構」の一例となる。
【００２６】
ここで、図１（ｂ）に示すように、本実施形態に係るカードリーダ１には、ゲートフレーム１０の内側と対向する位置に、ゲートフレーム１０に光を照射するＬＥＤ２１が複数個設けられている。また、同様に、ゲートフレーム１０の内側と対向する位置に、ＬＥＤ２１を覆うゲートフレームが取り外されたことを検知するマイクロスイッチ２２が設けられている。図２は、ＬＥＤ２１とマイクロスイッチ２２が配置されている様子を示す概念図である。複数個のＬＥＤ２１は、フロントパネル２２０に設けられた基板２１０上に、位置関係が概ね均等になるように配置されている一方、３個のマイクロスイッチ２２は、同じ基板２１０上に、上部中心及び左方・右方に１個ずつ（合計３個）配置されている。
【００２７】
なお、本実施形態では、マイクロスイッチ２２は３個としたが、１個又は２個であってもよいし、４個以上であってもよい。また、マイクロスイッチ２２は、機械的な検知スイッチであってもよいし、電気的・磁気的・光学的な検知スイッチなど、他の検知方法からなるスイッチであってもよい。
【００２８】
さらに、本実施形態では、上述したＬＥＤ２１、ＬＥＤ２１の断線を検知する断線検知回路３０（後述する図３参照）、上述したマイクロスイッチ２２などによって、「光源部」が構成されている。以下、ＬＥＤ２１の断線を検知する断線検知回路３０について、図３を用いて詳述する。
【００２９】
［電気構成］
図３は、本実施形態に係るカードリーダ１における電気的構成の一例を示す回路図である。
【００３０】
図３において、本実施形態に係るカードリーダ１は、ＬＥＤ２１の断線を検知する断線検知回路３０と、ゲートフレーム１０が取り外されたことを検知する取外し検知回路４０と、ＬＥＤ２１に対して電流制御をおこなうＬＥＤ制御回路５０と、ＣＰＵ１００と、を有している。なお、ＬＥＤ制御回路５０は、従来のカードリーダにも設けられているものであり、ＬＥＤ用電源Ｖｃ１と、負荷抵抗Ｒ５１と、ＬＥＤ２１と（本実施形態では、ＬＥＤ１，ＬＥＤ２及びＬＥＤ３の３個のＬＥＤからなるが、ここでは全体をＬＥＤ２１と略す）、ＦＥＴ５２と、ＬＥＤ制御回路５３と、を有している。
【００３１】
ＬＥＤ２１のアノード（ＬＥＤ１のアノード）は、負荷抵抗Ｒ５１を介してＬＥＤ用電源Ｖｃ１に直列接続されている。また、ＬＥＤ２１のカソード（ＬＥＤ３のカソード）は、ＦＥＴ５２を介して接地されている。なお、ＬＥＤ制御回路５３によってＦＥＴ５２のゲート端子の電位を変化させ、ＬＥＤ２１の発光ＯＮ−ＯＦＦを行っている。また、ＦＥＴ５２としては、ＪＦＥＴ（Junction Field Effect Transistor），エンハンスメント型ＭＯＳＦＥＴ（Metal Oxide Semiconductor Field Effect Transistor），ディプレッション型ＭＯＳＦＥＴなど、如何なるものを採用してもよい。
【００３２】
断線検知回路３０は、基準電圧を発生させる電源３１と、逆流防止用ダイオード３２と、コンパレータ３３と、抵抗Ｒ３４と、プルアップ電源Ｖｃ２とを有している。電源３１は、電源電圧を分圧することによって、基準電圧を発生させるなど、如何なるものを採用してもよい。電源３１で発生した基準電圧は、コンパレータ３３の＋端子に入力される。一方で、コンパレータ３３の−端子には、ダイオード３２を介してＬＥＤ２１の電位レベルが入力される。より具体的には、負荷抵抗Ｒ５１とＬＥＤ２１の間の電位が、ダイオード３２を介してコンパレータ３３に入力される。なお、ダイオード３２は、ＬＥＤ制御回路５０が複数系統あるとき（図３中の"点線枠Ｘ"内の回路が複数ある場合）に効果的な機能を発揮し、この場合において電流が逆流するのを防ぐ機能を有する。
【００３３】
通常状態では、コンパレータ３３はＨｉ出力状態である。具体的に説明すると、ＬＥＤ２１に電流が流れていれば、負荷抵抗Ｒ５１における電圧降下によって、負荷抵抗Ｒ５１とＬＥＤ２１の間の電位は低くなる。この電位は基準電圧の電位よりも低くなり、その結果、コンパレータ３３の出力はＨｉ状態になる。
【００３４】
仮に、ＬＥＤ２１が断線すると、負荷抵抗Ｒ５１とＬＥＤ２１の間の電位は、ＬＥＤ用電源ＶＣ１の電圧の近くまで上昇する。この電位は基準電圧の電位よりも高くなり、その結果、コンパレータ３３の出力がＬｏ状態にかわる。ＣＰＵ１００は、コンパレータ３３から送られてくる信号（コンパレータ３３の出力）を監視しておけば、ＬＥＤ２１の断線を検知することができる。このように、断線検知回路３０は、ＬＥＤ２１の電位レベルと基準電圧とを比較することによって、ＬＥＤ２１の断線を検知するようにしている。
【００３５】
取外し検知回路４０は、マイクロスイッチ２２と、抵抗Ｒ４１と、プルアップ電源Ｖｃ３とを有している。ゲートフレーム１０が取り付けられた状態では、マイクロスイッチ２２がＯＮ（閉）状態となっている。このとき、抵抗Ｒ４１の電圧降下によって、ＣＰＵ１００には低電位（Ｌｏ）の信号が入力される。
【００３６】
仮に、ゲートフレーム１０が取り外されると、マイクロスイッチ２２はＯＦＦ（開）状態となる。その結果、抵抗Ｒ４１の電圧降下がなくなり、ＣＰＵ１００には高電位（Ｈｉ）の信号が入力される。ＣＰＵ１００は、マイクロスイッチ２２の動作によって検知される信号を監視しておけば、ゲートフレーム１０の取外しを検知することができる。
【００３７】
このように、本実施形態に係るカードリーダ１は、ゲートフレーム１０をＬＥＤ２１で光らせ、不正読取装置の取り付けを抑制するものであるが、ＬＥＤ断線検知機能を有しているとともに、カードリーダ１の前方に取り付けられるゲートフレーム１０の取外し検知機能をも有しているので、セキュリティ性が高い。例えば、ＬＥＤ２１の発光を止めさせるためにＬＥＤ２１そのものや回路を破壊しようとした場合であっても、ＬＥＤ２１を覆うカバー（ゲートフレーム１０）を開けた時点で、マイクロスイッチ２２がＯＦＦ状態となり、上位装置にアラームを上げることができる。また、ＬＥＤ２１そのものや回路が破壊された時点においても、同様にして上位装置にアラームを上げることができる。
【００３８】
なお、ＬＥＤ２１を破壊せずに遮光性のあるもので覆って発光を妨げる、といった不正行為があったとしても、取外し検知機能によって、上位装置にアラームを上げることができる。また、ＬＥＤ２１の断線検知回路３０は、ＬＥＤ２１を構成するＬＥＤが１個でも破損・故障すれば、断線を検知することができるため、ＬＥＤ２１の自然故障の場合においても、上位装置にアラームを上げることができる。
【００３９】
図４は、図３に示す電気的構成の応用回路を示す回路図である。
【００４０】
図４に示すように、図３では、断線検知機能を確保するために、（判定）基準電圧を発生させるための電源３１とコンパレータ３３を用いたが、図４に示すように、フォトセンサ６１や分圧回路６４等を用いてもよい。より具体的には、フォトセンサ６１と抵抗Ｒ６３の間の電位又は、ＬＥＤ２１と負荷抵抗５１の間の電位を分圧回路６４によって分圧したものや、ＬＥＤ用電源６６で得られた電位を、（電位を整える）バッファ６５に入力し、ＣＰＵ１００はバッファ６５の出力を監視する。これにより、ＬＥＤ２１の断線を検知することができる。また、このときそれぞれの電位が低過ぎたり、高過ぎたりする様なことが無ければバッファ６５を介さなくてもよい。
【００４１】
なお、分圧回路６４への入力は、図３と同様に、図４中の点線枠Ｙの回路が複数に増えた場合の対策として、逆流防止用ダイオード６２を介して行われる。また、図３におけるＬＥＤ制御用のＦＥＴ５２は、図４に示すようにトランジスタＴＲ５４で代用しても構わない。トランジスタＴＲ５４としては、ゲルマニウムトランジスタ，小信号用トランジスタ，パワートランジスタなど、如何なる種類のものを採用してもよい。また、ゲートフレーム１０が取り外されたことを検知するセンサとして、図３ではマイクロスイッチ２２を用いているが、図４に示すように、フォトセンサ７１（及び抵抗Ｒ７１，Ｒ７２）を用いても構わない。その他、電源電圧を監視し、ＬＥＤ２１の基板に供給している電線（リード線）がカットされた場合に、上位装置にアラームを上げることとしてもよい。また、ＬＥＤ２１の基板とマイクロスイッチ２２の色を、同系色にすることによって、センサの存在を外部から認識しにくくし、不正読取防止機能を向上させることとしてもよい。
【００４２】
［実施形態の主な効果］
以上説明したように、本実施形態に係るカードリーダ１によれば、前方のフロントパネル２２０にＬＥＤ２１を複数配置し、ゲートフレーム１０をＬＥＤ２１で光らせ、不正読取装置の取り付けを抑制しているカードリーダ１に対して、ＬＥＤ２１の断線検知機能と、フロントパネル部のゲートフレーム１０の不正取外し検知機能とを併有させているので、ゲートフレーム１０が不正に取り外された時点で不正行為を認識することができ、ひいてはカードの不正読み取りに対するセキュリティ性を高めることができる。
【００４３】
また、ＬＥＤ２１の電位レベルと基準電圧とを比較することで、ＬＥＤ２１の断線を検知するようにしているので、複雑な回路や調整を必要とせず、小型化を図ることもでき、簡易にセキュリティ性を高めることができる。さらに、断線検知回路３０，６０において、ダイオード３２，６２を設けることによって、図３中の"点線枠Ｘ"内の回路，図４中の"点線枠Ｙ"の回路を増やした場合であっても逆流を防止することができる。
【産業上の利用可能性】
【００４４】
本発明に係るカードリーダは、カードの不正読み取りに対するセキュリティ性を高めるものとして有用である。
【図面の簡単な説明】
【００４５】
【図１】本発明の実施の形態に係るカードリーダの機械構成を示す斜視図である。
【図２】ＬＥＤとマイクロスイッチが配置されている様子を示す概念図である。
【図３】本実施形態に係るカードリーダにおける電気的構成の一例を示す回路図である。
【図４】図３に示す電気的構成の応用回路を示す回路図である。
【符号の説明】
【００４６】
１  カードリーダ
１０  ゲートフレーム
１１  拡開部
１２  シャッタソレノイド
１３  幅検知スイッチ
１４  シャッタ開閉スイッチ
２１  ＬＥＤ
２２  マイクロスイッチ
３１  電源
３２  ダイオード
３３  コンパレータ
５２  ＦＥＴ
５３  ＬＥＤ制御回路
１００  ＣＰＵ
【図１】
2010020427.tif 000003
【図２】
2010020427.tif 000004
【図３】
2010020427.tif 000005
【図４】
2010020427.tif 000006